(57)【特許請求の範囲】
【請求項１】
配信データが細かい単位のブロックデータに分解され、ほぼ等数のブロック数からなるＮ（Ｎは自然数）個のグループデータに分割され、該グループデータ単位に放送チャネル回線が割り当てられ、１通りのグループデータの配信が終るたびに、各放送チャネル回線上に送出されるグループデータが巡回置換して切り替えられる、Ｎ本の放送チャネル回線を介して前記配信データを配信するデータ配信システムにおけるデータ受信装置であって、
放送チャネル回線数Ｎの約数をＭ（Ｍは２以上）として、均等にばらけたＭ本の放送チャネル回線を選択して同時接続する手段と、
接続したそれぞれの前記放送チャネル回線から前記グループデータを受信する手段と、
受信した前記グループデータを構成するブロックデータに付与されている通番に基づいて前記グループデータを並べ替えて送信された配信データを復元する手段と、
復元された前記配信データを格納する手段と、
を備えたことを特徴とするデータ受信装置。
【発明の詳細な説明】
【０００１】
【発明の属する技術分野】
本発明は、複数の放送チャネル回線を利用してデータ配信装置から多数のデータ受信装置へデータを配信するデータ配信装置、データ受信装置及びデータ配信システムに関する。
【０００２】
【従来の技術】
図６は、従来の２つの放送チャネル回線を利用したデータ配信システムにおけるデータ配信の様子を示した説明図である。データ配信装置１ａは１つのデータを、ほぼ等量の２つのデータＡ、Ｂに分割し、このデータＡ、Ｂをそれぞれ２つの放送チャネル回線に対して繰り返し送出する。データ受信装置２ａは、それぞれの放送チャネル回線に接続して、２つに分割されたデータＡ、Ｂを受信し、それらを合成して元のデータを復元する。
【０００３】
１つ１つの放送チャネル回線において行われる動作は、１つの放送チャネル回線を利用したデータ配信システムの動作と同じとなる。送信対象のデータは、幾つかのブロックデータに分割され、通番を付与されて繰り返し送信される。
３つのブロックに分割された場合は、データの先頭から順に、「１／３」，「２／３」，「３／３」というような通番が付与されて繰り返し送信される。
受信端末側では、これらの通番を基にして元のデータを復元する。必ずしも、通番の先頭から受信し始める必要はなく、通番が、「２／３」，「３／３」，「１／３」の順序で各ブロックが受信されても、全てのブロックが揃った時点で通番を利用して、受信したデータを並び変えて復元すればよい。このように、データ受信装置２ａが２つの放送チャネル回線を利用することによって、高速にデータを配信することができる。
【０００４】
【発明が解決しようとする課題】
しかしながら、図６に示すデータ配信システムは、何らかのトラブルで２チャネルのうちの１チャネルの放送チャネル回線が利用できなくなると、センタ装置１ａにおいて、データ全体を１チャネルの放送チャネル回線によって送信するように設定しなおさない限り、データを得ることができなくなるという問題がある。データ配信装置１ａは、基本的にデータを一方的に送信するだけであるので、放送チャネル回線のトラブルを発見しにくく、対応が遅れがちになる。
【０００５】
また、１つの放送チャネル回線のみを利用する端末装置（図示せず）においては、この２つの放送チャネル回線を利用したデータ配信装置１ａから、データを獲得するためには、まず一方の放送チャネル回線に接続してデータＡを受信してから、もう一方の放送チャネル回線に接続し直して、データＢを受信してこれらを合成して元のデータを復元する必要がある。
１つの放送チャネル回線を利用するセンタからデータを受信する時の動作とは異なる動作となるため、特殊な動作を追加機能として持たせる必要があるという問題がある。
【０００６】
本発明は、このような事情に鑑みてなされたもので、２つの放送チャネルを利用できるデータ受信装置に対しては、２つの放送チャネルを利用して高速にデータを配信し、１つの放送チャネルのみを利用するデータ受信装置に対しては、１つの放送チャネル回線を利用したデータ配信装置と同じ方法で受信できるように配信することを目的とする。更には、何らかのトラブルで片方の放送チャネル回線が使用不能になっても、データ配信装置側で設定内容の設定を変更することなく、１つの放送チャネル回線にデータ配信が継続できるデータ配信装置、データ受信装置及びデータ配信システムを提供することを目的とする。
【０００７】
【課題を解決するための手段】
請求項１に記載の発明は、配信データが細かい単位のブロックデータに分解され、ほぼ等数のブロック数からなるＮ（Ｎは自然数）個のグループデータに分割され、該グループデータ単位に放送チャネル回線が割り当てられ、１通りのグループデータの配信が終るたびに、各放送チャネル回線上に送出されるグループデータが巡回置換して切り替えられる、Ｎ本の放送チャネル回線を介して前記配信データを配信するデータ配信システムにおけるデータ受信装置であって、放送チャネル回線数Ｎの約数をＭ（Ｍは２以上）として、均等にばらけたＭ本の放送チャネル回線を選択して同時接続する手段と、接続したそれぞれの前記放送チャネル回線から前記グループデータを受信する手段と、受信した前記グループデータを構成するブロックデータに付与されている通番に基づいて前記グループデータを並べ替えて送信された配信データを復元する手段と、復元された前記配信データを格納する手段とを備えたことを特徴とする。
【００１６】
【発明の実施の形態】
以下、本発明の一実施形態によるデータ配信システムを図面を参照して説明する。
先ず、データ配信システムを構成する装置を順に説明する。
図１は同実施形態における２放送チャネル利用型データ配信装置１の構成を示すブロック図である。この２放送チャネル利用型データ配信装置（以下、２チャネル型データ配信装置と称する）１は、配信データ格納部１１と、データ等分割部１２と、第１ハーフデータ格納部１３と、第２ハーフデータ格納部１４と、データ送信切替え部１５と、第１放送チャネル回線送信部１６と、第２放送チャネル回線送信部１７とから構成される。
【００１７】
次に、図１を参照して、２チャネル型データ配信装置１の動作を説明する。
配信データ格納部１１には、受信装置等に配信する配信データが格納されている。データ等分割部１２は、配信データ格納部１１に格納されている配信データを、複数のブロックに分解して、このブロックに順番号の通番を付与してから、配信データを２分割する。このとき、分割されたデータのサイズができるだけ均等になるように２分割する。等分割の方法としては、色々あるが、ブロックに付与された通番の前半部分と後半部分で分割するのが最も簡単である。
【００１８】
例えば、配信データを６個のブロックに分割して、それぞれのブロックに「１」〜「６」の通番を付与し、この通番が「１」〜「３」であるブロックを前半部分とし、「４」〜「６」であるブロックを後半部分とすればよい。また、単純に配信データの全体のサイズから２等分に相当するサイズを求め、このサイズになるように分割してもよい。この２分割された配信データをハーフデータと称する。ハーフデータは、１以上のブロックで構成されるが、これらのブロックには、配信データを複数のブロックに分解された時に付与された通番がそのまま付与されている。
【００１９】
２つに分割された配信データは、それぞれ第１ハーフデータ格納部１３と第２ハーフデータ格納部１４に格納される。この時、配信データの前半部分のハーフデータは第１ハーフデータ格納部１３に格納され、配信データの後半部分のハーフデータは第２ハーフデータ格納部１４に格納される。
【００２０】
次に、データ送信切替え部１５は、初めに、第１ハーフデータ格納部１３と第１放送チャネル回線送信部１６との間を接続し、さらに第２ハーフデータ格納部１４と第２放送チャネル回線送信部１７との間を接続する。この接続によって、第１ハーフデータ格納部１３に格納されているハーフデータが第１放送チャネル回線送信部１６を介して送信される。また同時に、第２ハーフデータ格納部１４に格納されているハーフデータは、第２放送チャネル回線送信部１７を介して送信される。
【００２１】
続いて、両者のハーフデータの送信が一通り完了した時点で、データ送信切替え部１５は、第１ハーフデータ格納部１３と第２放送チャネル回線送信部１７との間を接続し、さらに、第２ハーフデータ格納部１４と第１放送チャネル回線送信部１６との間を接続する。この接続によって、第１ハーフデータ格納部１３に格納されているハーフデータが第２放送チャネル回線送信部１７を介して送信される。また同時に、第２ハーフデータ格納部１４に格納されているハーフデータは、第１放送チャネル回線送信部１６を介して送信される。
【００２２】
次に、両者のハーフデータの送信が一通り完了すると、再度、接続先を切り替えて、ハーフデータを送信する動作を繰り返す。この動作によって、第１放送チャネル回線送信部１６及び第２放送チャネル回線送信部１７から送信されるデータは、第１ハーフデータ格納部１３に格納されているハーフデータと、第２ハーフデータ格納部１４に格納されているハーフデータとが交互に切り替えられて送信される。
【００２３】
図２は同実施形態における２放送チャネル利用型受信装置２の構成を示すブロック図である。この２放送チャネル利用型データ受信装置（以下、２チャネル型データ受信装置と称する）２は、２放送チャネル回線接続処理部２１と、第１ハーフデータ受信部２２と、第２ハーフデータ受信部２３と、合流データ組立て部２４と、受信データ格納部２５とから構成される。
【００２４】
次に、図２を参照して、２チャネル型データ受信装置２の動作について説明する。２放送チャネル回線接続処理部２１は、第１ハーフデータ受信部２２及び第２ハーフデータ受信部２３をそれぞれ別々の２つの放送チャネル回線に接続し、両者にハーフデータ受信の開始を指示する。第１ハーフデータ受信部２２と第２ハーフデータ受信部２３は、ハーフデータを受信し、このハーフデータを、合流データ組立て部２４へ出力する。合流データ組立て部２４は、入力されたハーフデータを、ハーフデータを構成するブロックに付与されている通番に基づいて前後の並べ替えを行うことによって、配信データを復元して、受信データ格納部２５へ出力する。受信データ格納部２５は、復元した配信データを格納する。配信データが復元されると、２放送チャネル回線接続処理部２１は、第１ハーフデータ受信部２２及び第２ハーフデータ受信部２３に接続されている放送チャネル回線との接続を切断する。
【００２５】
図３は同実施形態における１放送チャネル利用型受信装置３の構成を示すブロック図である。この１放送チャネル利用型データ受信装置（以下、１チャネル型データ受信装置と称する）３は、放送チャネル接続処理部３１と、データ受信部３２と、データ組立て部３３と、受信データ格納部３４とから構成される。
【００２６】
次に、図３を参照して、１チャネル型データ受信装置３の動作を説明する。  放送チャネル接続処理部３１は、データ受信部３２を放送チャネル回線に接続し、データ受信部３２にハーフデータ受信の開始を指示する。データ受信部３２は、ハーフデータを受信すると、そのハーフデータをデータ組立て部３３へ出力する。データ組立て部３３は、入力されたハーフデータを、ハーフデータを構成するブロックに付与されている通番に基づいて前後の並べ替えにより、配信データを復元して受信データ格納部３４に格納する。配信データが復元されると、放送チャネル回線接続処理部３１は、データ受信部３２に接続されている放送チャネル回線との接続を切断する。
【００２７】
図４は同実施形態における１放送チャネル利用型配信装置４の構成を示すブロック図である。この１放送チャネル利用型データ配信装置（以下、１チャネル型データ配信装置と称する）４は、配信データ格納部４１と、ブロック分解格納部４２と、放送チャネル回線送信部４３とから構成される。
【００２８】
次に、図４を参照して、１チャネル型データ配信装置４の動作を説明する。
配信データ格納部４１に格納された配信データは、ブロックに分解して、単一のグループデータとしてブロック分解格納部４２に格納される。このグループデータは、ハーフデータ２つを直列に並べたものと同じである。
放送チャネル回線送信部４３は、ブロック分解格納部４２に格納されたハーフデータを順次、繰り返し送信する。このとき、放送チャネル回線送信部４３は、先ず前半部分のハーフデータを送信し、次に後半部分のハーフデータを送信する。続いて、再び前半部分のハーフデータを送信し、次に後半部分のハーフデータというように送信を繰り返す。
【００２９】
次に、前述した各装置を用いたデータ配信システムを説明する。
データ配信システムは、２チャネル型データ配信装置１と、１チャネル型データ配信装置４と、２チャネル型データ受信装置２と、１チャネル型データ受信装置３からなり、１チャネル型データ配信装置４及び１チャネル型データ受信装置３は、２チャネル型データ配信装置１と２チャネル型データ受信装置２が使用する２つの放送チャネルの内のいずれかの放送チャネルを使用して、データの配信及び受信を行う。
次に、図５を参照して、前述した各装置を用いたデータ配信システムの動作を説明する。図５に示したデータ配信システムは、２チャネル型データ配信装置１と、２チャネル型データ受信装置２と、１チャネル型データ受信装置３とを放送回線によって接続した例を示した説明図である。
先ず、２チャネル型データ配信装置１は、配信データを２等分割してハーフデータにする。この配信データの前半部分をハーフデータＡ、後半部分をハーフデータＢと称する。
次に、２分割されたハーフデータＡとハーフデータＢをそれぞれ異なる放送チャネル回線を使用して、送信する。続いて、２チャネル型データ配信装置１は、各放送チャネルからハーフデータＡとハーフデータＢが交互に送信されるように回線を切り替えて送信する動作を繰り返す。
【００３０】
次に、２チャネル型データ受信装置２は、２つの放送チャネル回線に接続し、２チャネル型データ配信装置１が送信したハーフデータＡ及びハーフデータＢをそれぞれ受信して、受信したハーフデータＡ及びハーフデータＢを、これらを構成するブロックに付与されている通番に基づいて前後の並べ替えをすることによって配信データを得ることができる。
【００３１】
一方、１チャネル型データ受信装置は、１つの放送チャネル回線に接続して、２チャネル型データ配信装置１が送信したハーフデータＡ及びハーフデータＢを順に受信して、受信したハーフデータＡ及びハーフデータＢを構成するブロックに付与されている通番に基づいて前後の並べ替えを行うことによって配信データを得ることができる。
【００３２】
次に、２チャネルの回線の内の１回線が使用不能になった場合の動作について説明する。
１チャネル型データ受信装置３によってデータ受信を行っていたときに、接続されていた回線が使用不能になった場合に、放送チャネル接続処理部３１は、他方の回線に接続しなおして、データ受信部３２に対して再度データを受信する指示を出力する。以下は、前述したデータ受信動作を行う。
【００３３】
２チャネル型データ受信装置２によるデータ受信は、接続されていた回線が使用不能になった場合に、２放送チャネル回線接続処理部２１は、使用不能になった回線を切断して、使用可能な回線から送信されるデータの全てを、合流データ組み立て部２４へ入力し、入力されたデータを、このデータを構成しているブロックに付与されている通番に基づいて前後の並べ替えを行うことによって配信データを受信することができる。
【００３４】
なお、１チャネル型データ配信装置４を使用して、２チャネル型データ配信装置１で用いた回線の片方の放送チャネルからデータを配信してもよい。この時、１チャネル型データ受信装置３は、１チャネル型データ配信装置４がデータを送信した放送チャネル回線と同じ回線に接続すれば、データを受信することができる。
【００３５】
また、１チャネル型データ配信装置４を使用して送信したデータを、２チャネル型データ受信装置２によってデータを受信する場合は、２回線の内１回線が使用不能になった時と同様に、片方の回線から全てのデータを受信して、２チャネル型データ受信装置２の合流データ組立て部２４において、データを並べ替えることによってデータを受信することができる。
【００３６】
このように、２チャネル型データ配信装置１から送信されるデータを２等分割して、２つの回線から送信する場合に、２分割したデータを交互に送信するようにしたため、１チャネル型のデータ送受信装置と２チャネル型のデータ送受信装置が混在してしてもデータの配信を行うことができる。
【００３７】
なお、図５においては、２つの放送チャネル回線を利用する例を説明したが、２つを超える回線を使って、データを配信する場合においても同様の手法を適用することができる。
例えば、６つの放送チャネル回線を使用して、配信データを６つのグループに等分されたグループデータを送信する場合は、６等分されたグループデータ（６等分されたグループデータをそれぞれＧ１，Ｇ２，Ｇ３，Ｇ４，Ｇ５，Ｇ６と称する）を、６つの放送チャネル（６つのチャネルをそれぞれＣｈ１，Ｃｈ２，Ｃｈ３，Ｃｈ４，Ｃｈ５，Ｃｈ６と称する）回線上にそれぞれ送信する。
すなわち、Ｃｈ１の回線からグループデータＧ１のデータを送信し、Ｃｈ２の回線からグループデータＧ２のデータを送信し、以下順に、Ｃｈ３からＧ３、Ｃｈ４からＧ４、Ｃｈ５からＧ５、Ｃｈ６からＧ６というように送信する。
【００３８】
次に、１回の送信が終了した時点で、各回線から送信するグループデータを、グループデータが巡回するように、送信するグループデータを１つずらして送信する。すなわち、Ｃｈ１の回線からグループデータＧ２のグループデータを送信し、Ｃｈ２の回線からグループデータＧ３のグループデータを送信し、以下順に、Ｃｈ３からＧ４、Ｃｈ４からＧ５、Ｃｈ５からＧ６、Ｃｈ６からＧ１というように送信する。以下同様に、Ｃｈ１からＧ３、Ｃｈ２からＧ４、Ｃｈ３からＧ５、．．．．というように、Ｃｈ１の回線からグループデータＧ６のデータが送信されるまで同じ動作を繰り返す。この結果、Ｃｈ１の回線からは、グループデータＧ１、Ｇ２、Ｇ３、Ｇ４、Ｇ５、Ｇ６の順で、グループデータが送信され、Ｃｈ２の回線からは、Ｇ２、Ｇ３、Ｇ４、Ｇ５、Ｇ６、Ｇ１の順で、グループデータが送信される。他の回線も同様にＧ１〜６のグループデータが１つずつずれて、順に送信される。
【００３９】
このようにして、各回線から送信するグループデータのグループデータを１つずつずらして送信するようにすると、データを受信する受信装置は、６つの放送チャネルから任意の１チャネル、均等間隔の２チャネル（Ｃｈ１の回線とＣｈ４の回線、または、Ｃｈ２の回線とＣｈ５の回線、または、Ｃｈ３の回線とＣｈ６の回線）、均等間隔の３チャネル（Ｃｈ１、Ｃｈ３及びＣｈ５の回線、または、Ｃｈ２、Ｃｈ４及びＣｈ６の回線）及び６チャネルのいずれかのチャネル数を選択して、受信することができ、受信速度も選択したチャネル数に応じて向上することができる。２チャネル、３チャネル、６チャネルの受信装置の受信速度は、１チャネル型データ受信装置３に比べ、それぞれ２倍、３倍、６倍とすることができる。
【００４０】
すなわち、Ｎ本の回線を利用して配信した場合、Ｎの約数の数の放送チャネルを同時利用して、１放送チャネル回線使用時の受信速度に対して、”Ｎの約数倍”の受信速度を、同一データ配信装置に対して利用することができる。
【００４１】
なお、１チャネル型データ受信装置３を放送チャネルに接続する場合、２チャネルある回線の内、混雑していない回線に接続するようにする。２チャネル型データ受信装置２は、高速にデータを受信するために、同時に２つの回線を必要とするため、片方の回線が空いていても、他方の回線が混雑しているとデータを高速に受信することができない。このようにすることで、片方の回線に集中して接続されることを回避できるために、２チャネル型データ受信装置２を接続し易くすることができる。
【００４２】
【発明の効果】
以上説明したように、この発明によれば、放送チャネル回線数Ｎの約数をＭ（Ｍは２以上）として、均等にばらけたＭ本の放送チャネル回線を選択して同時接続する複数放送チャネル利用型データ受信装置の各放送チャネル回線上におけるデータの送出方法と、１放送チャネル利用型データ受信装置の放送チャネル回線上におけるデータの送出方法とを同じ方法にすることができるために、１放送チャネル利用型データ受信装置は、受信方法を全く変えずに、複数放送チャネル利用型データ受信装置のいずれかの放送チャネル回線に接続して、データを取得することができるという効果が得られる。
【００４３】
また、この発明によれば、複数放送チャネル利用型データ受信装置が使用するいずれかの放送チャネル回線が、使用不能になった場合でも、全てのデータは、他方の放送チャネル回線から順次送信されるため、複数放送チャネル利用型データ受信装置の合流データ組立て部において、それらの全てのブロックデータを並べ替えることによって、配信データを復元することができるという効果が得られる。
【図面の簡単な説明】
【図１】本発明の一実施形態における２放送チャネル利用型データ配信装置の構成を示すブロック図である。
【図２】本発明の一実施形態における２放送チャネル利用型データ受信装置の構成を示すブロック図である。
【図３】本発明の一実施形態における１放送チャネル利用型データ受信装置の構成を示すブロック図である。
【図４】本発明の一実施形態における１放送チャネル利用型データ配信装置の構成を示すブロック図である。
【図５】本発明の一実施形態におけるデータ配信の動作を示す説明図である。
【図６】従来技術のデータ配信の動作を示す説明図である。
【符号の説明】
１・・・２放送チャネル利用型データ配信装置、
２・・・２放送チャネル利用型データ受信装置、
３・・・１放送チャネル利用型データ受信装置、
４・・・１放送チャネル利用型データ配信装置。
【図１】
0003563264.tif 000002
【図２】
0003563264.tif 000003
【図３】
0003563264.tif 000004
【図４】
0003563264.tif 000005
【図５】
0003563264.tif 000006
【図６】
0003563264.tif 000007